(57)【要約】【課題】環境の明るさが変化しても表示装置の画面にちらつきが発生しないようにする表示制御装置を提供すること。【解決手段】撮像装置に設けられ、撮像部で得られた画像データを撮影視認用に表示する表示装置１２３を制御する表示制御装置において、表示装置に表示される画像データをフレーム間で比較して、フレーム間で画像の露出レベルに変化が生じたかを判定する比較判定部１１５ｂと、環境の明るさの変化に応じて表示装置の輝度を変化させるよう制御する表示輝度制御部１１５ｃとを備え、表示輝度制御部は、比較判定部によりフレーム間で画像の露出レベルに変化が生じたと判定された場合に、画像の露出レベルに変化が生じたと判定されたフレームが表示装置に表示されるタイミングに対応して、表示装置の輝度を変化させるよう制御する。【選択図】図２
2015216473.tif 000002
【特許請求の範囲】
【請求項１】
撮像装置に設けられ、撮像部で得られた画像データを撮影視認用に表示する表示装置を制御する表示制御装置において、
前記表示装置に表示される画像データをフレーム間で比較して、フレーム間で画像の露出レベルに変化が生じたかを判定する比較判定部と、
環境の明るさの変化に応じて前記表示装置の輝度を変化させるよう制御する表示輝度制御部とを備え、
前記表示輝度制御部は、前記比較判定部によりフレーム間で画像の露出レベルに変化が生じたと判定された場合に、前記画像の露出レベルに変化が生じたと判定されたフレームが前記表示装置に表示されるタイミングに対応して、前記表示装置の輝度を変化させるよう制御する
ことを特徴とする表示制御装置。
【請求項２】
環境の明るさの変化に応じて前記撮像部の露光条件を制御する露光制御部を備え、
前記比較判定部は、各フレームの露光条件から前記フレーム間で画像の露出レベルに変化が生じたかを判定する
ことを特徴とする請求項１に記載の表示制御装置。
【請求項３】
前記比較判定部は、各フレームの画像データに基づいて算出された輝度から前記フレーム間で画像の露出レベルに変化が生じたかを判定する
ことを特徴とする請求項１に記載の表示制御装置。
【請求項４】
前記比較判定部は、さらに、前記表示装置の表示レートが前記撮像部の撮像レートよりも高いかを判定し、前記表示レートが前記撮像レートより高いと判定する場合には、直近に前記表示装置に表示したフレームと次に表示予定のフレーム間で画像の露出レベルの変化を判定し、
前記表示輝度制御部は、前記画像の露出レベルに変化が生じたと判定されたフレームが前記表示装置に表示されるタイミングに対応して、前記表示装置の輝度を変化させるよう制御する
ことを特徴とする請求項１に記載の表示制御装置。
【請求項５】
前記比較判定部は、さらに、前記撮像部で複数ＶＤ露光が行われているかを判定し、前記複数ＶＤ露光が行われていると判定する場合には、直近に前記表示装置に表示したフレームと次に表示予定のフレーム間で画像の露出レベルの変化を判定し、
前記表示輝度制御部は、前記画像の露出レベルに変化が生じたと判定されたフレームが前記表示装置に表示されるタイミングに対応して、前記表示装置の輝度を変化させるよう制御する
ことを特徴とする請求項１に記載の表示制御装置。
【請求項６】
前記表示輝度制御部は、前記表示装置の輝度として前記表示装置のバックライトの輝度を制御する
ことを特徴とする請求項１に記載の表示制御装置。
【請求項７】
環境の明るさの時間的な変化を緩やかな変化に変換した安定化輝度を算出する安定化輝度算出部を備え、
前記表示輝度制御部は、前記算出された安定化輝度に基づき前記表示装置の輝度を変化させる
ことを特徴とする請求項１に記載の表示制御装置。
【請求項８】
撮像装置に設けられ、撮像部で得られた画像データを撮影視認用に表示する表示装置を制御する表示制御方法において、
前記表示装置に表示される画像データをフレーム間で比較して、フレーム間で画像の露出レベルに変化が生じたかを判定する比較判定ステップと、
環境の明るさの変化に応じて前記表示装置の輝度を変化させるよう制御する表示輝度ステップとを含み、
前記表示輝度ステップは、前記比較判定ステップによりフレーム間で画像の露出レベルに変化が生じたと判定された場合に、前記画像の露出レベルに変化が生じたと判定されたフレームが前記表示装置に表示されるタイミングに対応して、前記表示装置の輝度を変化させるよう制御する
ことを特徴とする表示制御方法。
【請求項９】
撮像部で得られた画像データを撮影視認用に表示する表示装置を制御するよう撮像装置のコンピュータで実行されるプログラムにおいて、
前記表示装置に表示される画像データをフレーム間で比較して、フレーム間で画像の露出レベルに変化が生じたかを判定する比較判定ステップと、
環境の明るさの変化に応じて前記表示装置の輝度を変化させるよう制御する表示輝度ステップとを含み、
前記表示輝度ステップは、前記比較判定ステップによりフレーム間で画像の露出レベルに変化が生じたと判定された場合に、前記画像の露出レベルに変化が生じたと判定されたフレームが前記表示装置に表示されるタイミングに対応して、前記表示装置の輝度を変化させるよう制御する
ことを特徴とするプログラム。
【発明の詳細な説明】
【技術分野】
【０００１】
本発明は、デジタルカメラの表示制御装置に関する。
【背景技術】
【０００２】
デジタルカメラやビデオカメラに搭載される表示装置（ＥＶＦ：Electronic View Finder）を人が見たときの見え方は、使用環境によって大きく変化する。図１０は、環境に係わらず表示輝度が一定のＥＶＦにおいて、晴天下と室内での見え方の違いを説明する図である。図１０（Ａ）は晴天下での見え方で、図１０（Ｂ）は室内での見え方を示す図である。
【０００３】
図１０（Ａ）に示すように、ＥＶＦの輝度（例えば２００ｃｄ/m2）よりはるかに明るい晴天下(例えば、１００００ｌｕｘ)の環境で、ＥＶＦを覗いた場合に、一般に撮影者は画面を暗いと感じてしまう。なぜなら、晴天下では、撮影者の目が明るいシーンで適切に見えるよう順応されていて、その状態で２００ｃｄ/m2程度のＥＶＦ映像を見ると、相対的に暗いと感じてしまうからである。
【０００４】
逆に、図１０（Ｂ）に示すように、暗めの室内環境(例えば、１００ｌｕｘ)で、２００ｃｄ/m2のＥＶＦを覗いた場合に、撮影者は多少明るく感じる。人は室内の環境化で被写体が適切な明るさに見えるよう、目が順応された状態になっているため、その状態で２００ｃｄ/m2程度のＥＶＦ映像を見ると、相対的に明るく感じてしまう。
【０００５】
そこで、人の目の順応特性を考慮し、環境の明るさに応じてＥＶＦの明るさを自動でコントロールするＥＶＦが提案されている（例えば特許文献１）。
【０００６】
図１１は、環境の明るさに応じて輝度を変化させるＥＶＦにおいて、見え方の違いを説明する図である。図１１（Ａ）は、環境が晴天下の場合に、ＥＶＦの輝度を上げるよう設定された場合である。カメラが環境の明るさを測定して、ＥＶＦの輝度を標準値（２００ｃｄ/m2）から例えば８００ｃｄ/m2に上げる。ＥＶＦの輝度が上がるので、明るさに慣れた撮影者の目にも、画面を暗いと感じにくくなる。
【０００７】
図１１（Ｂ）は、環境が室内（１００ｌｕｘ）の場合に、ＥＶＦの輝度を下げるよう設定された場合である。カメラが環境の明るさを測定して、ＥＶＦの輝度を標準値（２００ｃｄ/m2）から例えば１００ｃｄ/m2に下げる。ＥＶＦの輝度が下がるので、撮影者が画面を明るいと感じにくくなる。
【０００８】
図１１の説明では、環境に合わせてＥＶＦの輝度を制御する例を説明した。ここで、ＥＶＦを見る人が感じる見え方（人の見え方）を、以下では、表示画像の輝度（明るさ）と称す。表示画像の輝度は、ＥＶＦのバックライトの輝度だけではなく、表示データの露出レベルにも影響される。ライブビュー時に、環境の明るさに応じてバックライトの輝度と表示データの露出レベルが変化した場合の表示画像の輝度の変化を、図１２〜図１５により説明する。
【０００９】
図１２は、環境の明るさの変化に対応するカメラのＡＥ制御を示すグラフである。環境の明るさ（左縦軸）が６Ｂｖから２Ｂｖに急変した場合に、ＡＥ制御による露光データの明るさ変化を露光差（右縦軸）として表したものである。環境の明るさを実線で示し、露光差を破線で示す。横軸は時間軸である。
【００１０】
環境の明るさが６Ｂｖで安定している場合には、露光データも適正となる露光差±０ｅ  ｖに安定している。環境の明るさが２Ｂｖに急変すると対応してＡＥ制御が実行される。ＡＥの動作としては、安定性を重視する観点から、すぐに環境の明るさに追従するのではなく、徐々に環境変化に対応させるよう露光条件をコントロールする。そのため、露光データの明るさが、環境変化により一時的に暗くなり（−４ｅｖ）、少しずつに適正露光（±０ｅｖ）に戻るようにＡＥ制御が実行される。
【００１１】
図１３は、環境の明るさ変化（６Ｂｖ→２Ｂｖ）に対応するＥＶＦ輝度制御を示すグラフである。ＥＶＦ輝度とは、ＥＶＦがＴＦＴ液晶表示装置の場合には、バックライトの輝度である。ＥＶＦ輝度は、本来ｃｄ/m2だが、説明のため露光差と同様な単位（ｅｖ）で記載している。環境の明るさを実線で示し、ＥＶＦ輝度を一点鎖線で示す。
【００１２】
環境の明るさが６Ｂｖ程度の明るい環境では、ＥＶＦも明るめに設定される。環境の明るさが２Ｂｖに低下すると、ＥＶＦ輝度も低下させる必要がある。しかし、ＥＶＦ輝度の急激な変化は撮影者に戸惑いを与えるので、環境の明るさが急変した場合でも、撮影者への安定感を優先して、すぐに環境の明るさに追従するのではなく、徐々に環境変化に対応させるようＥＶＦ輝度をコントロールする。そのため、ＥＶＦ輝度としては少しずつに暗くなるよう制御される。
【００１３】
図１４は、環境の明るさが変化した場合の表示画像の輝度変化（人の見え方の変化）を示す図である。表示画像の輝度は、ＥＶＦ輝度（バックライト輝度）と表示データの露出レベルの合計であるので、環境の明るさの変化に対応する表示画像の輝度は、ＥＶＦ輝度の変化及び露出レベルの変化の合計で決まる。環境の明るさを実線、露出差を破線、ＥＶＦ輝度を一点鎖線、表示画像の輝度を二点鎖線で示す。図１２や図１３で示したように、露出レベルやＥＶＦ輝度が一定のカーブで変化するとすれば、表示画像の輝度（人の見え方、２点鎖線）は安定する。本例では、表示画像の輝度は一定である。
【先行技術文献】
【特許文献】
【００１４】
【特許文献１】２００１−３０９２１１号公報
【発明の概要】
【発明が解決しようとする課題】
【００１５】
しかしながら、表示データの露出レベルを制御する露光制御とＥＶＦ輝度を制御するＥＶＦ輝度制御が各々独立で行われると、表示データの露出レベルが変化するタイミングとＥＶＦ輝度制御によりＥＶＦが変化するタイミングにズレが生じ、それにより人の見え方に相当する表示画像の輝度がちらつきとして発生することがある。
【００１６】
図１５Ａ，図１５Ｂは、ライブビュー時に、環境の明るさに対応する従来の表示画像の輝度変化を示すタイミングチャートである。最上部の「ＶＤ（垂直駆動信号）長」のラインは、ライブビュー中にフレームを取り込むタイミングを刻むクロックを表す。「環境の明るさ」のラインは、被写体輝度を示し、本例では、ＶＤ＃３の途中で６Ｂｖから２Ｂｖに変化したとする。
【００１７】
「露光」のラインは、露光の各タイミングを示し、ＶＤのタイミングで毎回ライブビュー用の画像が露光され、フレーム画像（以下、フレームとも略す）が得られる。「露光」のラインの各値は、適正露光値との差で表すもので、±０eｖは該フレームが適正露光であることを示す。適正露光値との差を露光ズレ量と呼び、以下で各フレームの画像の露出レベルを、露光ズレ量で表現する。つまり、露光演算を行う際、取り込まれたフレームの露光条件をＴＶ,ＡＶ,ＳＶ、そのフレームから算出した環境の明るさをｅｎｖＢｖとすると、露光ズレ量 ＝ｅｎｖＢｖ−（ＴＶ＋ＡＶ−ＳＶ）となる。
【００１８】
「取込み」のラインは、フレームのデータを取り込む処理のタイミングを示すものであり、露光演算もそのデータを用いて、一定間隔で行われる。本例では、ＶＤ＃１のフレームがＶＤ＃２で取込まれるように、露光されたフレームが次のＶＤタイミングで取込まれる。
【００１９】
「露光演算」のラインは、取り込まれたデータに基づきｅｎｖＢｖを算出する露光演算を行う処理である。ＡＥ演算及びヒステリシス制御は、次の露光条件（ＴＶ，ＡＶ，ＳＶ）を決定する処理である。本例では、ＶＤ＃６で最初のＡＥ演算が行われ、ＶＤ＃８で最初のヒステリシス制御が行われる。露光条件の決定処理では、露光演算で算出したｅｎｖＢｖからヒステリシス制御により変更量（ここでは＋０．７ｅｖとする）を算出し、算出した変更量に基づき次の露光条件（ＴＶ２，ＡＶ２，ＳＶ２）を決定する。
【００２０】
ヒステリシス制御について説明する。環境の明るさが僅かに振動していた場合や急な変化を繰り返している場合に、それに顕著に対応するとかえって安定性が悪化するため、安定性の悪化を回避するための制御が、ヒステリシス制御である。
ヒステリシス制御は
１．小さな変化に対しては鈍感にし、大きな変化には比較的敏感に対応するようにする
２．急な変化にすぐに対応しないよう、変化の幅の上限を設ける
ような制御である。
【００２１】
図１６は、ヒステリシス制御による露光変更量テーブルを示すグラフである。横軸は、露光（露出）ズレ量の絶対値である。例えば、環境の明るさがｅｎｖＢｖ＝３．０に安定している状態では、露光演算により算出される環境の明るさもｅｎｖＢｖ＝３．０と算出される。そして、取り込まれたデータの露光条件（ＴＶ,ＡＶ,ＳＶ）＝３．０であるので、露光ズレ量 ＝０になる。
【００２２】
それに対し、環境の明るさｅｎｖＢｖ＝３．０からｅｎｖＢｖ＝２．５に変わった直後に取り込まれたフレームで露光演算が行われると、環境の明るさはｅｎｖＢｖ＝２．５と算出されるのに対し、取り込まれたフレーム自体を露光したときの露光条件（ＴＶ,ＡＶ,ＳＶ）は、前の環境の明るさで適正となる露光条件、つまり,露光条件（ＴＶ,ＡＶ,ＳＶ）＝３．０ のままである。その結果、露光ズレ量 =  ２．５ ― ３．０  = −０．５になる。
【００２３】
図１６の縦軸は、露光変更量ΔＢｖである。露光変更量ΔＢｖは、１回の露光条件の変更において、変更する露光（露出）量を表す。露光変更量は、露光ズレ量が極わずかの場合には、ほとんど変化しないようにし、露光ズレ量が大きくなるにつれて、徐々に露光変更量が大きくなるように設定される。また、露光ズレ量がある一定以上の場合の、1回の変更量の上限を０．７ｅｖに規定している。この上限の規定により、上記図１５に示すタイミングチャートにおいて、環境の明るさが６ｅｖから２ｅｖに変化した場合でも、露光条件の1回の変化量は０．７ｅｖとなる。
【００２４】
これにより、環境の明るさが僅かに振動していた場合や急な変化を繰り返している場合でも、それを顕著に拾わないようになる。
【００２５】
ここで、ヒステリシス制御を考慮したＢｖ値、つまり小さな変化に影響されず急な変化の繰り返しにも影響されにくい安定したＢｖ値を安定化輝度（ｓｔａｂＢｖ）と呼ぶ。
【００２６】
安定化輝度としては、現状での露光条件（ＴＶ,ＡＶ,ＳＶ）に対し、上記露光変更量(ΔＢｖ)を用いて
ｓｔａｂＢｖ=ＴＶ＋ＡＶ−ＳＶ− ΔＢｖ  ：[ｅｎｖＢｖ< (ＴＶ＋ＡＶ−ＳＶ) ]
ｓｔａｂＢｖ=ＴＶ＋ＡＶ−ＳＶ+ ΔＢｖ  ： [ｅｎｖＢｖ>= (ＴＶ＋ＡＶ−ＳＶ)]
より求められ、安定化輝度を基に次の露光に必要な露光条件（ＴＶ,ＡＶ,ＳＶ）を算出すれば、ヒステリシス制御を考慮した露光演算が可能となる。決定された露光条件を基に、シャッター速・ＩＳＯ感度・絞り等の具体的な露光条件、及びＥＶＦ輝度が変更される。
【００２７】
しかし、露光条件の実際の変更には、時間がかかる場合がある。例えば、絞り機構を変更する場合には絞り機構を動かすための準備が必要であったり、他の機能の割り込みによる待ち時間が発生するからである。そのため、ライブビュー中に環境の明るさが変化して露光条件が設定されても、露光条件は直ちに変更されるわけではなく、場合によっては数フレーム遅れて実施される。本例では、露光条件の実際の変更はＶＤ＃１１から行われる。
【００２８】
図１５の「画像処理」のラインは、取込まれたフレームが表示用に画像処理されるタイミングを示す。「ＥＶＦ輝度」のラインは、ＶＤ長に同期した表示タイミングにおけるＥＶＦのバックライトの各光量を示す。「表示データ」のラインは、ＶＤ長に同期した表示タイミングにおけるＥＶＦ表示フレームの各露出レベルを示す。取込まれたフレームは、次のＶＤタイミングで画像処理され、さらに次ＶＤタイミングで表示される。つまり、ＶＤ＃１で露光されたフレームが、ＶＤ＃４でＥＶＦに表示される。「表示画像の輝度」のラインは、ＶＤ長に同期した表示タイミングにおけるＥＶＦの見え方を「表示画像の輝度」として表したものである。表示画像の輝度は、ＥＶＦ輝度の光量と表示データのフレームの露出レベルとの合計になるので、例えば、ＶＤ＃４では、５ｅｖ＋０ｅｖ＝５ｅｖとなる。
【００２９】
「ＥＶＦ輝度」は、露光条件のようなメカニカルな要素を含まないため、露光演算（例えば、ＶＤ＃８）後に直ちに輝度が変更される（ＶＤ＃９、５ｅｖ→４．３ｅｖ）。したがって、環境変化によるＥＶＦ輝度は、ＶＤ＃９、ＶＤ＃１６、ＶＤ＃２３で変更される。一方、環境変化による表示データの露出レベル変化は、ＶＤ＃６、ＶＤ＃７、ＶＤ＃１４、ＶＤ＃２１で発生する。
【００３０】
このように、ＥＶＦの輝度変化と表示データの露出レベル変化のタイミングが合わない場合が発生するため、表示画像の輝度（人の見え方）は、ＶＤ＃９、ＶＤ＃１４、ＶＤ＃１６、ＶＤ＃２１、ＶＤ＃２３のタイミングで、細かい変動が生じ、ＥＶＦを見ている人はちらつきを感じる。
【００３１】
図１７は、表示画像の輝度に細かい変動（ちらつき）が発生する様子を、図１５のチャートをより簡略化してグラフにしたものである。環境の明るさの変化は、図１５と同様に６Ｂｖ→２Ｂｖとする。露出レベル（破線、表示データに相当）およびＥＶＦ輝度が、それぞれ同じ間隔で変更されるが、変更のタイミングがズレている場合である。露出レベル（破線）とＥＶＦ輝度（1点鎖線）の変更のタイミングが揃わないため、表示画像の輝度（２点鎖線）は、図示のように一定値になるまでの期間で増減を繰り返す。そのため、その期間、人はＥＶＦの画面がちらつくと感じる。
【００３２】
同様に、タイミングが揃わなくなる要因として、撮像レートと表示レートが異なる場合や複数のＶＤ長で１回の露光を行う（多ＶＤ露光とも呼ぶ）場合が挙げられる。図１８には、撮像とＥＶＦ表示のレートが異なる場合の例を示す。図１８Ａ，図１８Ｂは、ＥＶＦ表示ＶＤの期間が撮像ＶＤより短い場合のタイミングチャートである。ＥＶＦ表示ＶＤの周期が撮像ＶＤ周期の１／２であることで、表示データは同じフレームを２回使うことになる。そこで、例えばＶＤ＃８では、表示データの露出レベルが一定値（−３．３ｅｖ）であるが、ＥＶＦ輝度は＋４．３ｅｖ、＋３．６ｅｖのように変化する。ＶＤ＃１２でも同様である。そのため、表示画像の輝度は増減を繰り返し、画面にちらつきが発生する。図１９は、図１８Ａ，図１８Ｂで説明したケースを簡略化して示すグラフで、表示画像の輝度（２点鎖線）が変動する。
【００３３】
また、図２０には、多ＶＤ露光となる場合の例を示す。図２０Ａ、図２０Ｂは、複数のＶＤ長で1回の露光を行う場合のタイミングチャートである。例えば、ＶＤ＃１〜ＶＤ＃２の期間で、1回の取込みが行われる。これにより、ＶＤ＃１５の前後、ＶＤ＃２３の前後で、表示画像の輝度に変動が発生し、画面にちらつきが生じる。表示画像の輝度の変化は、図１９と同様である。
本願発明は、上記課題に鑑み、環境の明るさが変化しても表示装置の画面にちらつきが発生しないようにする表示制御装置を提供することを目的とする。
【課題を解決するための手段】
【００３４】
上記目的を達成するために、撮像装置に設けられ、撮像部で得られた画像データを撮影視認用に表示する表示装置を制御する表示制御装置において、前記表示装置に表示される画像データをフレーム間で比較して、フレーム間で画像の露出レベルに変化が生じたかを判定する比較判定部と、環境の明るさの変化に応じて前記表示装置の輝度を変化させるよう制御する表示輝度制御部とを備え、前記表示輝度制御部は、前記比較判定部によりフレーム間で画像の露出レベルに変化が生じたと判定された場合に、前記画像の露出レベルに変化が生じたと判定されたフレームが前記表示装置に表示されるタイミングに対応して、前記表示装置の輝度を変化させるよう制御する。
【発明の効果】
【００３５】
本発明によれば、環境の明るさが変化しても表示装置の画面にちらつきが発生しないようにする表示制御装置を提供することができる。
【図面の簡単な説明】
【００３６】
【図１】表示制御装置が適用されるデジタルカメラ１のブロック図である。
【図２】表示制御装置に関するブロック図である。
【図３Ａ】第１の表示制御処理の手順を示すフローチャートである。
【図３Ｂ】第１の表示制御処理におけるＡＥ制御のサブルーチンである。
【図３Ｃ】第１の表示制御処理における表示制御のサブルーチンである。
【図４】安定化輝度に基づきＥＶＦ輝度を算出するテーブル例のグラフである。
【図５】第1の表示制御処理による表示画像の輝度変化を示すグラフである。
【図６Ａ】環境の明るさに対応して、表示画像の輝度が変化の様子を示すタイミングチャート１である。
【図６Ｂ】環境の明るさに対応して、表示画像の輝度が変化の様子を示すタイミングチャート２である。
【図６Ｃ】環境の明るさに対応して、表示画像の輝度が変化の様子を示すタイミングチャート３である。
【図７Ａ】第２の表示制御処理の手順を示すフローチャートである。
【図７Ｂ】第２の表示制御処理における輝度検出のサブルーチンである。
【図７Ｃ】第２の表示制御処理における表示制御のサブルーチンである。
【図８Ａ】第３の表示制御処理の手順を示すフローチャートである。
【図８Ｂ】第３の表示制御処理におけるＡＥ制御のサブルーチンである。
【図８Ｃ】第３の表示制御処理における表示制御のサブルーチンである。
【図９】第４の表示制御処理における表示制御のサブルーチンである。
【図１０】表示輝度が一定のＥＶＦにおいて、晴天下と室内での見え方の違いを説明する図である。
【図１１】環境の明るさに応じて輝度を変化させるＥＶＦにおいて、見え方の違いを説明する図である。
【図１２】環境の明るさの変化に対応するカメラのＡＥ制御を示すグラフである。
【図１３】環境の明るさ変化に対応するＥＶＦ輝度制御を示すグラフである。
【図１４】環境の明るさが変化した場合の、従来のＥＶＦにおける見え方の変化を示す図である。
【図１５Ａ】環境の明るさに対応する従来の表示画像の輝度変化を示すタイミングチャート１である。
【図１５Ｂ】環境の明るさに対応する従来の表示画像の輝度変化を示すタイミングチャート２である。
【図１６】ヒステリシス制御による露光変更量テーブルを示すグラフである。
【図１７】表示画像の輝度の変動を示すグラフである。
【図１８Ａ】ＥＶＦ表示ＶＤの期間が撮像ＶＤより短い場合のタイミングチャート１である。
【図１８Ｂ】ＥＶＦ表示ＶＤの期間が撮像ＶＤより短い場合のタイミングチャート２である。
【図１９】表示画像の輝度の細かい変動の様子を示すグラフ化である。
【図２０Ａ】複数のＶＤ長で露光を行う方式におけるタイミングチャート１である。
【図２０Ｂ】複数のＶＤ長で露光を行う方式におけるタイミングチャート２である。
【発明を実施するための形態】
【００３７】
以下、図面に従って本発明の実施形態を説明する。図１は、本発明に係る表示制御装置が適用されるデジタルカメラ１のブロック図である。本実施形態では、撮像装置であるデジタルカメラ１の例として、レンズ交換式のデジタルカメラを示すが、レンズ一体型のデジタルカメラであっても良い。
【００３８】
デジタルカメラ１は、カメラ本体１００と交換式レンズ２００を有している。交換式レンズ２００は、カメラ本体１００に対して着脱自在に構成される。
【００３９】
カメラ本体１００は、メカシャッタ１０１、撮像素子１０２、撮像ドライバ１０３、アナログ処理部１０４、アナログ/デジタル（Ａ/Ｄ）変換部１０５、ＳＤＲＡＭ１０６、画像処理部１０７、ＡＥ制御部１０８、ＡＦ処理部１０９、ＡＷＢ処理部１１０、ＪＰＥＧ処理部１１１、メモリＩ／Ｆ１１２、記録媒体１１３、マイクロコンピュータ１１５、操作部１１６、フラッシュメモリ１１７及びバス１１８等を有する。
【００４０】
メカシャッタ１０１は、交換式レンズ２００から入射する被写体光による露光時間を調整するものである。メカシャッタ１０１は、被写体光が入射する開口を遮蔽する遮光幕と遮光幕を移動させるアクチュエータを有する。メカシャッタ１０１は、主に静止画撮影時に開閉動作がなされ、ライブビュー時には開放状態が維持される。
【００４１】
撮像素子１０２は、交換式レンズ２００を介して集光された被写体からの光束が結像される光電変換面を有する。光電変換面は、複数の画素が２次元状に配置され、光電変換面に結像された光束に対応した像（被写体像）を、その光量に応じた電気信号（以下、画像信号という）に変換して出力する。撮像素子１０２は、ＣＣＤあるいはＣＭＯＳいずれもタイプでもよい。
【００４２】
撮像ドライバ１０３は、撮像素子１０２を所定のクロックで駆動して、露光・読出しを制御する回路である。また、撮像ドライバ１０３は、電子シャッター秒時(露光時間)を制御する。ライブビュー時には、撮像ドライバ１０３は、ドラフトモードで撮像素子１０２を高速駆動して電子シャッターにより露光時間を制御し、読出しを行う。
【００４３】
アナログ処理部１０４は、撮像素子１０２により得られた画像信号に対してＣＤＳ（相
関二重サンプリング）処理やＡＧＣ（自動利得制御）処理等のアナログ処理を施す。Ａ/
Ｄ変換部１０５は、アナログ処理部１０４により処理された画像信号をデジタル信号（以下、画像データとも呼ぶ）に変換する。アナログ処理部１０４のＡＧＣやＡ/Ｄ変換部１０５によって、画像データの感度（ＳＶ）が調整される。また、撮像素子１０２、撮像ドライバ１０３、アナログ処理部１０４、Ａ/Ｄ変換部１０５を、まとめて撮像部とも呼ぶ。撮像部については、図２で詳述する。
【００４４】
ＳＤＲＡＭ１０６は、各種画像処理を実行するためのワークエリア、あるいはカメラ本体１００内部で発生した各種のデータを一時的に記憶するための記憶部である。画像処理部１０７は、Ａ/Ｄ変換部１０５から出力された画像データに対し、各種の画像処理を行う。画像処理部１０７は、ホワイトバランス（ＷＢ）補正部１０７１、同時化処理部１０７２、色再現処理部１０７３、ＮＲ処理部１０７４等を有する。
【００４５】
ＷＢ補正部１０７１は、ＡＷＢ処理部１１０によって算出されたホワイトバランスゲインにより、画像データの色バランスを補正する。同時化処理部１０７２は、撮像素子１０２のベイヤー配列等による画像データから、１画素あたりＲ、Ｇ、Ｂの情報からなる画像データへ同時化（デモザイク）する処理を行う。色再現処理部１０７３は、画像の色味を変化させる色再現処理を行い、ＮＲ処理部１０７４は、ノイズを低減する処理を行う。ノイズ低減処理後の画像データは、ＳＤＲＡＭ１０６に記憶される。
【００４６】
ＡＥ制御部１０８は、画像データを用いて環境の明るさ（被写体輝度）を算出して、適正露光になるような露光条件を設定する。ＡＥ制御部１０８については、図２で詳述する。
【００４７】
ＡＦ処理部１０９は、画像データから高周波成分の信号を取り出し、取り出した高周波成分の信号を積算してＡＦ用の合焦評価値を取得する。ＡＷＢ処理部１１０は、画像の撮像状況下における光源に応じて自動的にホワイトバランスを調整するオートホワイトバランス処理時に、ホワイトバランスゲインを算出する。
【００４８】
ＪＰＥＧ処理部１１１は、画像の記録時に、画像処理部１０７による画像処理によって得られた画像データに対してＪＰＥＧ方式等の圧縮処理を施す。また、ＪＰＥＧ処理部１１１は、画像の再生時においては、圧縮処理が施された画像データに対して伸張（デコード）処理を施す。
【００４９】
メモリＩ/Ｆ１１２は、マイクロコンピュータ１１５等が記録媒体１１３にアクセスす
るためのインターフェイスである。記録媒体１１３は、例えばカメラ本体１００に着脱自
在になされた、不揮発性のメモリカードである。記録媒体１１３には、画像ファイル等が記録される。
【００５０】
マイクロコンピュータ１１５は、制御プログラムを読込み、読込んだ制御プログラムに従ってカメラ１全体を統括的に制御する全体制御部である。マイクロコンピュータ１１５は、装着された交換式レンズ２００の動作も制御する。マイクロコンピュータ１１５は、ＡＥ制御部１０８で演算された環境の明るさを用いて、絞り・シャッター・感度等の露光制御を行う。
【００５１】
操作部１１６は、ユーザによって操作される各種の操作部材である。操作部１１６とし
ては、例えば、レリーズボタンや電源ボタン、選択キー等が含まれる。レリーズボタンは撮影動作の実行を指示するための操作部材である。電源ボタンはカメラ本体１００の電源のオン又はオフを指示するための操作部材である。
【００５２】
操作部１１６は、マイクロコンピュータ１１５に接続され、操作部１１６になされた操作がマイクロコンピュータ１１５に通知される。なお、これらのボタンは、一部又は全部をタッチパネルによって操作される仮想的な操作部として構成しても良い。
【００５３】
フラッシュメモリ１１７は、マイクロコンピュータ１１５が実行する種々のプログラムを記憶する不揮発性のメモリである。また、フラッシュメモリ１１７は、例えばホワイトバランス補正用のホワイトバランスゲインや色再現の処理に用いられるカラーマトリクス等の画像処理部１０７の動作に必要なパラメータ等の、カメラ本体１００の動作に必要な各種のパラメータも記憶する。バス１１８は、カメラ本体１００の内部で発生した各種のデータを伝送するための経路である。
【００５４】
また、カメラ本体１００は、ＬＣＤ制御部１２０、ＬＣＤ１２１、ＥＶＦ制御部１２２．ＥＶＦ１２３及びアイセンサ１２４を有する。
【００５５】
ＬＣＤ制御部１２０は、表示装置であるＬＣＤ１２１を制御するものである。ＬＣＤ１２１は、カメラ本体１００の背面に設けられる大型の表示装置である。ＬＣＤ１２１は、ＬＣＤ制御部１２０から出力された画像データに基づく画像を表示する。
【００５６】
ＬＣＤ制御部１２０は、ライブビュー時には、画像処理部１０７でライブビュー用に画像処理された画像データを、ＬＣＤ１２１表示用の画像データに変換して、ＬＣＤ１２１に出力する。ＬＣＤ制御部１２０は、再生時には、記録媒体１１３から読み出されＪＰＥＧ処理部１１１で伸張された画像データを表示用の画像データに変換して、ＬＣＤ１２１に出力する。また、ＬＣＤ制御部１２０は、ＬＣＤ１２１のＬＥＤバックライトをＰＷＭ制御等でコントロール等して、ＬＣＤ１２１の輝度を調整する。
【００５７】
ＥＶＦ制御部１２２は、ＥＶＦ１２３を制御するものである。ＥＶＦ１２３は、ＬＣＤ１２１より画面サイズが小型の表示装置で、カメラ本体１００の背面上部に設けられる覗き込み型の表示装置である。ＥＶＦ１２３の表示体は、ＬＣＤあるいは有機ＥＬいずれでも良い。
【００５８】
ＥＶＦ制御部１２２は、ライブビュー時には、画像処理部１０７でライブビュー用に画像処理された画像データを、ＥＶＦ１２３表示用の画像データに変換して、ＥＶＦ１２３に出力する。ＥＶＦ制御部１２２は、再生時には、記録媒体１１３から読み出されＪＰＥＧ処理部１１１で伸張された画像データを表示用の画像データに変換して、ＥＶＦ１２３に出力する。また、ＬＣＤ制御部１２０と同様に、ＥＶＦ制御部１２２はＥＶＦ１２３のＬＥＤバックライトをＰＷＭ制御等でコントロール等して、ＥＶＦ１２３の輝度を調整する。
【００５９】
アイセンサ１２４は、ＥＶＦ１２３に顔が付けられているかを検出する光学センサである。アイセンサ１２４の検出に応じて、マイクロコンピュータ１１５は、ライブビューあるいは再生画像の表示装置として、ＬＣＤ１２１あるいはＥＶＦ１２３のいずれかを選択する。
【００６０】
交換式レンズ２００は、撮像レンズ２１０、絞り２１２、ドライバ２１４、レンズマイクロコンピュータ２１６及びフラッシュメモリ２１８等を有している。撮像レンズ２１０は、図示しない被写体からの光束をカメラ本体１００内の撮像素子１０２に集光するための光学系である。この撮像レンズ２１０は、フォーカスレンズ及びズームレンズ等の複数のレンズを有している。
【００６１】
絞り２１２は、絞り羽根を有し、撮像レンズ２１０を介して入射する光束の量を絞り羽根の角度により調整する。ドライバ２１４は、撮像レンズ２１０内のフォーカスレンズやズームレンズをその光軸方向に駆動させたり、絞り２１２の絞り羽根を駆動する。
【００６２】
レンズマイクロコンピュータ２１６は、制御プログラムに従い、マイクロコンピュータ１１５からの指示に応じて交換式レンズ２００の各部を制御するものである。レンズマイクロコンピュータ２１６は、交換式レンズ２００がカメラ本体１００に装着された際にインターフェイス（Ｉ/Ｆ）１５０を介してカメラ本体１００内のマイクロコンピュータ１１５と通信を行う。
【００６３】
レンズマイクロコンピュータ２１６は、マイクロコンピュータ１１５からの制御に従ってドライバ２１４を駆動する。また、レンズマイクロコンピュータ２１６は、撮像レンズ２１０の収差情報等のレンズ情報をマイクロコンピュータ１１５に通知する。フラッシュメモリ２１８は、撮像レンズ２１０の収差情報等のレンズ情報や交換式レンズ２００の動作を実行するために必要なプログラム等を記憶する。
【００６４】
図２は、デジタルカメラ１の表示制御処理に関するブロック図である。図２は、図１で示したデジタルカメラ１において、ライブビュー時にＥＶＦ１２３に画像を表示する処理に係る部分の構成を示したものである。なお以下では、表示装置をＥＶＦ１２３とした場合の表示制御処理についてを説明するが、表示装置がＬＣＤ１２１であっても、実行される表示制御処理は同様である。
【００６５】
撮像部１６０は、撮像素子１０２、撮像ドライバ１０３、アナログ処理部１０４、Ａ／Ｄ変換部１０５を有し、被写体像を光電変換して画像データを出力するものである。
【００６６】
アナログ処理部１０４は、画像信号を適正なゲインに増幅するＡＧＣ１０４ａを有する。Ａ／Ｄ変換部１０５も、ＡＤ変換時に画像データのゲインを調整するゲイン制御部１０５ａを有する。ＡＧＣ１０４ａとゲイン制御部１０５ａのいずれかあるいは両方の組み合わせで、画像データのゲイン（感度：ＳＶ）が決定される。
【００６７】
撮像部１６０から出力される画像データは、露光時の露光条件と共に一旦ＳＤＲＡＭ１０６に保持される。ＡＥ制御部１０８は、画像データを取込み、画像データから環境の明るさを算出する。また、ＡＥ制御部１０８は、安定化輝度算出部１０８ａを有する。安定化輝度算出部１０８ａは、環境の明るさの変化を緩やかな輝度変化に修正するようヒステリシス制御を行って、環境の明るさの変化に基づいた安定化輝度を算出する。
【００６８】
図１６で説明したように、安定化輝度とは、ヒステリシス制御を考慮したＢｖ値、つまり小さな変化に影響されず急な変化の繰り返しにも影響されにくい安定したＢｖ値である。なお、ヒステリシス制御とは、環境の明るさが僅かに振動していた場合や急な変化を繰り返している場合など、それを顕著に拾ってしまう事による安定性が悪化を回避するための制御である。安定化輝度算出部１０８ａは、例えば図１６に示すテーブルに基づき、安定化輝度を算出する。
【００６９】
また、ＡＥ制御部１０８は、露光条件演算部１０８ｂを有する。露光条件演算部１０８ｂは、算出された安定化輝度に基づき、適正な露光になるような露光条件（ＴＶ：シャッター速、ＡＶ：絞り値，ＳＶ：感度）を演算する。
【００７０】
ＡＥ制御部１０８は、安定化輝度に基づき算出した露光条件（ＴＶ，ＡＶ、ＳＶ）、及び算出した安定化輝度をマイクロコンピュータ１１５に通知する。
【００７１】
マイクロコンピュータ１１５は、通知された露光条件及び安定化輝度に基づき、露光制御処理、比較判定処理及び表示制御処理を実行する。以下では、マイクロコンピュータ１１５により実行される露光制御処理及び表示輝度制御処理を、露光制御部１１５ａ、比較判定部１１５ｂ及び表示輝度制御部１１５ｃと称して説明する。
【００７２】
露光制御部１１５ａは、ＡＥ制御部１０８から通知された露光条件に基づき、変更する露光条件に対応する部位に変更を指示する。露光制御部１１５ａは、絞り値ＡＶを変更する場合には、インターフェイス（Ｉ/Ｆ）１５０を介してレンズマイクロコンピュータ２１６に指示する。レンズマイクロコンピュータ２１６は、指示値に応じてドライバ２１４を制御して絞り２１２の絞りを変更する。
【００７３】
露光制御部１１５ａは、シャッター速ＴＶを変更する場合には、撮像ドライバ１０３を制御する。露光制御部１１５ａは、感度ＳＶを変更する場合には、ＡＧＣ１０４ａ及び／またはゲイン制御部１０５ａを制御する。
【００７４】
比較判定部１１５ｂは、フレーム間の画像データを比較して、フレーム間の画像（以下、単にフレームとも称す）の輝度に変化があるかを判定する。比較判定部１１５ｂは、後述する第1の表示制御処理では、ＳＤＲＡＭ１０６から各フレームの露光条件を取得し、ＥＶＦ１２３に直近（直前）に表示したフレームと次に表示予定のフレーム間で画像の輝度に変化があるかを判定する。
【００７５】
また、後述する第２の表示制御処理では、画像処理部１０７において、各フレームの表示画像を生成すると同時に、フレームのＲＧＢデータから、輝度のデータであるＹデータを生成し、生成した画面全体のＹデータからＹ平均値（Ｙａｖｅ）を算出する。画像処理部１０７は、算出したＹ平均値をフレームの輝度として比較判定部１１５ｂに通知する。比較判定部１１５ｂは、画像処理部１０７から通知される各フレームのＹ平均値に基づき、ＥＶＦ１２３に直近に表示されたフレームと次に表示予定のフレーム間で画像の輝度に変化があるかを判定する。
【００７６】
また、比較判定部１１５ｂは、後述する第３の表示制御処理では、表示レート＞撮像レートを判定する。さらに、比較判定部１１５ｂは、第４の表示制御処理では、画像データが多ＶＤ露光データであるかを判定する。
【００７７】
表示輝度制御部１１５ｃは、比較判定部１１５ｂの判定結果で、表示するフレーム間で画像の輝度に変化があると判定される場合には、通知された安定化輝度等に基づき、変更するＥＶＦ輝度を算出する。表示輝度制御部１１５ｃは、画像の輝度が変化したフレーム(輝度変化フレームとも呼ぶ)が表示されるタイミングに合わせて、算出したＥＶＦ輝度をＥＶＦ制御部１２２に出力する。ＥＶＦ制御部１２２は、表示輝度制御部１１５ｃから通知されたＥＶＦ輝度に基づきＥＶＦ１２３のバックライトの光量を増減する。
【００７８】
また、第３あるいは４の表示制御処理にて、表示輝度制御部１１５ｃは、比較判定部１１５ｂの判定結果で、表示レート＞撮像レートあるいは画像データが多ＶＤ露光データであると判定された場合には、前後のフレームで輝度差の有無を判断し、輝度差有りの場合には、輝度変化フレームが表示されるタイミングに合わせて、算出したＥＶＦ輝度をＥＶＦ制御部１２２に出力する。
【００７９】
これにより、表示するフレームの画像の輝度変化にＥＶＦ輝度の変更のタイミングを一致させることができる。そして、ＥＶＦ輝度の変化量を、フレームの画像の輝度変化と同じく安定化輝度に基づく値に設定することで、フレームの輝度変化量に対応する量だけＥＶＦ輝度を変化させることができる。なお、ＥＶＦ輝度の変化量は、フレームの画像の輝度変化量と等しい値でも良いし、フレームの輝度変化量に対し一定の割合（例えば、×１．５あるいは×０．８等）であってもよい。いずれでも、フレームの画像の輝度とＥＶＦ輝度の変化タイミングが一致するので、両者の合計である表示画像の輝度に変動は発生しない。このように、ＥＶＦ１２３の表示を制御する比較判定部１１５ｂ及び表示輝度制御部１１５ｃを表示制御装置とも呼ぶ。さらに、表示制御装置には、露光制御部１１５ａや安定化輝度算出部１０８ａが含まれていても良い。
【００８０】
上述のＥＶＦ輝度の制御（表示制御処理）の具体例を、以下に第１〜第４として説明する。図３Ａ〜Ｃは、第1の表示制御処理の手順を示すフローチャートである。図３Ａは、マイクロコンピュータ１１５において実行されるメインのフローチャートである。図３Ｂは主にＡＥ制御部１０８において実行されるＡＥ制御のサブルーチン、図３Ｃは主に比較判定部１１５ｂと表示輝度制御部１１５ｃで実行される表示制御のサブルーチンである。
【００８１】
マイクロコンピュータ１１５は、操作部１１６に含まれる電源ボタンの操作通知を受けて、電源ＯＮの処理を行う（ステップＳ１０）。マイクロコンピュータ１１５は、電源ＯＮ処理後、カメラの初期化処理を行う（ステップＳ１２）。初期化処理の一つとして、露光制御部１１５ａは、フラッシュメモリ１１７から、最初（デフォルト）の露光条件（ＴＶｄｅｆ, ＡＶｄｅｆ, ＳＶｄｅｆ）を読込む。また、表示輝度制御部１１５ｃは、フラッシュメモリ１１７から、最初（デフォルト）のＥＶＦ輝度（ＢＬｄｅｆ）を読み込む。
【００８２】
そして、露光制御部１１５ａは、前フレームの露光条件（ｐｒｅＴＶ、ｐｒｅＡＶ、ｐｒｅＳＶ）として、最初の露光条件（ＴＶ_ｄｅｆ, ＡＶ_ｄｅｆ, ＳＶ_ｄｅｆ）を設定する（ステップＳ１４）。
【００８３】
マイクロコンピュータ１１５は、露光設定を行う（ステップＳ１６）。露光制御部１１５ａが、露光条件（電源ＯＮ直後は、ＴＶ_ｄｅｆ, ＡＶ_ｄｅｆ, ＳＶ_ｄｅｆ）に従って、シャッター速、絞り、感度等の設定を行う。
【００８４】
撮像部１６０は、露光を行い、撮像部１６０から出力された画像データを取り込む（ステップＳ１８）。ＡＥ制御部１０８は、取り込まれた画像データを基に、ＡＥ制御を行う（ステップＳ２０）。
【００８５】
図３Ｂに進む。ＡＥ制御部１０８は、まずフラッシュメモリ１１７から測光方式を読み込む（ステップＳ４０）。選択された測光方式に基づき測光演算を行うためである。なお、測光方式の読み込みは、電源投入時や測光方式の変更操作が行われた場合のみでよい。
【００８６】
ＡＥ制御部１０８は、取り込まれた画像データから測光エリアのデータを抽出して輝度値に変換し、環境の明るさｅｎｖＢｖを算出する（ステップＳ４２）。ＡＥ制御部１０８は、算出した環境の明るさｅｎｖＢｖから、露光（露出）ズレ量を算出する。安定化輝度算出部１０８ａは、例えば前述した図１６に示す内容のテーブルを参照してし、露光ズレ量から露光（露出）変更量ΔＢｖを求め、安定化輝度を算出する（ステップＳ４４）。安定化輝度算出部１０８ａは、僅かな露光変化に引っ張られないよう、以下の式で、安定化輝度ｓｔａｂＢｖを算出する。
【００８７】
安定化輝度ｓｔａｂＢｖは、取り込まれた画像データの露光条件（Ｔｖ,Ａｖ,Ｓｖ）に対し、上記露光変更量ΔＢｖを用いて
ｓｔａｂＢｖ=ＴＶ＋ＡＶ−ＳＶ− ΔＢｖ  ：[ｅｎｖＢｖ< (ＴＶ＋ＡＶ−ＳＶ) ]
ｓｔａｂＢｖ=ＴＶ＋ＡＶ−ＳＶ+ ΔＢｖ  ： [ｅｎｖＢｖ>= (ＴＶ＋ＡＶ−ＳＶ)]
より求められる。
【００８８】
環境の明るさｅｎｖＢｖが６から２に変化したとすると、図１６のグラフから、ΔＢｖ＝０．７になり、ｓｔａｂＢｖ＝６−０．７＝５．３となる。
【００８９】
露光条件演算部１０８ｂは、算出された安定化輝度ｓｔａｂＢｖから、次の露光条件（ＡＶｎｅｘｔ、ＴＶｎｅｘｔ，ＳＶｎｅｘｔ）を算出する（ステップＳ４６）。露光条件演算部１０８ｂは、露光条件（ＡＶｎｅｘｔ、ＴＶｎｅｘｔ，ＳＶｎｅｘｔ）の算出に当たっては、選択されたカメラモード（オート、絞り優先等々）に応じたプログラム線図を参照する。図３Ａに戻り、ステップＳ２２に進む。
【００９０】
マイクロコンピュータ１１５は、画像処理部１０７に画像データの画像処理を行わせ（ステップＳ２２）、画像処理部１０７からは表示用の画像データが出力される。マイクロコンピュータ１１５は、比較判定部１１５ｂや表示輝度制御部１１５ｃにＥＶＦ１２３への表示制御を行わせる（ステップＳ２４）。
【００９１】
図３Ｃに進む。比較判定部１１５ｂは、これから表示予定の現フレームの露光条件（ＡＶ、ＴＶ，ＳＶ）を取得し（ステップＳ５０）、直近に表示した前フレームの露光条件（ｐｒｅＴＶ、ｐｒｅＡＶ、ｐｒｅＳＶ）を取得する（ステップＳ５２）。
【００９２】
比較判定部１１５ｂは、現フレームと前フレームの露光条件が一部でも変わっているかを判定する（ステップＳ５４）。比較判定部１１５ｂが現フレームと前フレームの露光条件が全て同一であると判定すると（ステップＳ５４ＮＯ）、表示輝度制御部１１５ｃは、表示輝度を変えることなく、ＥＶＦ１２３設定を行い（ステップＳ６２）、図３ＡのステップＳ２６に進む。
【００９３】
一方、比較判定部１１５ｂが、現フレームと前フレームの露光条件で少なくとも一部が変わっていると判定すると（ステップＳ５４ＹＥＳ）、表示輝度制御部１１５ｃは、ステップＳ４４で算出された安定化輝度ｓｔａｂＢｖを取得し（ステップＳ５６）、安定化輝度ｓｔａｂＢｖに基づき、ＥＶＦ輝度を算出する（ステップＳ５８）。
【００９４】
図４は、安定化輝度ｓｔａｂＢｖに基づきＥＶＦ輝度を算出するテーブルをグラフ化した例である。表示輝度制御部１１５ｃは、例えば図４に示すようなカーブのテーブルを参照して、安定化輝度ｓｔａｂＢｖからＥＶＦ輝度を算出する。なお図４では、説明を分かりやすくするために、一般的にはｃｄ/ｍ２で表すＥＶＦ輝度を、段数表記で表している。
【００９５】
比較判定部１１５ｂは、ｐｒｅＴＶ＝ＴＶ、ｐｒｅＡＶ＝ＡＶ、ｐｒｅＳＶ＝ＳＶとして、現フレームの露光条件を、前フレームの露光条件として保持する（ステップＳ６２）。次のフレームでの露光条件変化の判断に、使用するためである。
【００９６】
表示輝度制御部１１５ｃは、算出したＥＶＦ輝度を基にＥＶＦ設定を行う（ステップＳ６２）。このように、ＥＶＦ輝度の変更も、ヒステリシス制御により僅かな変化に引っ張られないようにされる。図３ＡのステップＳ２６に進む。
【００９７】
なお、表示輝度制御部１１５ｃは、本例ではＥＶＦ輝度をＡＥ制御部１０８で得られたｓｔａｂＢｖを用いて算出すると説明したが、ＡＥ制御部１０８から環境の明るさｅｎｖＢｖを受け取り、環境の明るさｅｎｖＢｖからヒステリシス制御を行い、ＥＶＦ輝度を算出するようにしても良い。
【００９８】
図３ＡのステップＳ２６では、ＥＶＦ制御部１２２は、表示輝度制御部１１５ｃから通知されたＥＶＦ輝度により、ＥＶＦ１２３のバックライトの輝度を制御して、表示を行う。
【００９９】
マイクロコンピュータ１１５は、電源オフ指示の有無を判断する（ステップＳ２８）。マイクロコンピュータ１１５は、電源オフ指示があったと判断すると（ステップＳ２８ＹＥＳ）、カメラのオフ処理を実行する。マイクロコンピュータ１１５は、電源オフ指示がないと判断すると（ステップＳ２８ＮＯ）、露光制御部１１５ａは、必要に応じて露光変更の準備をして（ステップＳ３０）、ステップＳ１６に戻る。露光制御部１１５ａは、露光変更の準備として、電子シャッター速・絞り値・感度の変更を対応する各部に指示する。
【０１００】
図５は、環境の明るさ変化があった場合に、対応して第1の表示制御処理により制御される表示画像の輝度を示すグラフである。なお、図５では、簡便化のため、露光条件の設定に必要な時間等を、時間軸から省略している。環境の明るさ（実線、左縦軸）が６Ｂｖから２Ｂｖに低下するが、露出レベル（破線、右縦軸）は、一気に露光差０に戻るのでなく、階段状に露光差を縮めながら露光差０に復帰するよう制御される。ステップＳ４４で説明したように、環境の明るさから直接露光条件が算出されるのではなく、安定化輝度に基づき露光条件が算出されるからである。
【０１０１】
また、ＥＶＦ輝度（1点鎖線、右縦軸）は、フレーム間での露出レベルが変化するタイミングと同じタイミングで、階段状に低下するよう制御される。ステップＳ５０〜ステップＳ５４で説明したように、露光条件の差があるフレーム表示時に、対応してＥＶＦ輝度を変更するからである。今回は効果をわかりやすく説明するため、ＥＶＦ輝度の変化量は、露光差の変化量と同じとしている。これにより、露出レベルとＥＶＦ輝度の合計に相当する表示画像の輝度（２点鎖線、右縦軸）を、細かい変動のない安定した値にすることができる。つまり、画面にちらつきが発生することがない。
【０１０２】
以上説明した第1の表示制御処理により制御されるＥＶＦ輝度等を、タイミングチャートで説明する。図６Ａ〜Ｃは、環境の明るさに対応して、表示画像の輝度が変化の様子を示すタイミングチャートである。図Ａ、Ｂ、Ｃの順に、時間が推移する。なお、図６のタイミングチャートは、図５で省略した露光演算や露光条件の設定に必要な時間も含まれているため、図５のグラフの時間軸とは、一部異なっている。
【０１０３】
「ＶＤ（垂直駆動信号）長」は、ライブビュー中にフレームを取り込むタイミングを表す。ＶＤ長を、左から時間の順番にＶＤ＃１、ＶＤ＃２・・で表す。「環境の明るさ」のラインは、被写体の明るさの変化を示す。本例では、環境の明るさｅｎｖＢｖが、ＶＤ＃３の途中で６Ｂｖから２Ｂｖに変化（暗くなる）したとする。
【０１０４】
「露光」のラインは、ステップＳ１８の前半の処理で、撮像素子１０２による露光のタイミングを示し、ＶＤのタイミングで毎回ライブビュー用の画像が露光され、画像データ（以下、フレームと略す）が得られる。なお、「露光」の各値は、適正露光値との差で表すもので、±０eｖはフレームが適正露光であることを示す。適正露光値との差を露光ズレ量と呼び、以下で各フレームの画像の輝度を、露光ズレ量で表現する。
【０１０５】
「取込み」のラインは、ステップＳ１８の後半の処理で、露光により得られたフレームを内部に取り込むタイミングを示す。本例では、ＶＤ＃１のフレームがＶＤ＃２で取込まれ、露光されたフレームが次のＶＤタイミングでＡＥ制御部１０８や画像処理部１０７に送られる。
【０１０６】
「露光演算」のラインは、取り込まれたフレームから、環境の明るさｅｎｖＢｖ、安定化輝度ｓｔａｂＢｖや露光条件が算出されるタイミングを示す。露光演算として、ＡＥ演算及びヒステリシス（Ｈｙｓ）制御のタイミングを示す。ＡＥ演算は、ステップＳ４０及びステップＳ４２の処理で、取り込まれたフレームに基づき、適正露光と差である露光(露出)ズレ量を算出する。ヒステリシス（Ｈｙｓ）制御のタイミングで、安定化輝度算出部１０８ａにより、露光ズレ量に基づいて安定化輝度ｓｔａｂＢｖが算出され、露光条件演算部１０８ｂにより次の露光条件（Ｔｖ，Ａｖ，Ｓｖ）が算出される。ステップＳ４４及びステップＳ４６の処理である。上述したように、安定化輝度算出部１０８ａは、環境の明るさの変化を緩やかな輝度変化に修正するようヒステリシス制御を行って、算出した環境の明るさの変化に基づいた安定化輝度を算出する。
【０１０７】
図６の例では、ＶＤ＃６で最初のＡＥ演算が行われ、ＶＤ＃８で最初のヒステリシス制御が行われる。環境の明るさが−４ｅｖ（６Ｂｖから２Ｂｖ）変化したことで、安定化輝度算出部１０８ａと露光条件演算部１０８ｂにより、ＶＤ＃８で、次の露光条件（Ｔｖ２，Ａｖ２，Ｓｖ２）として＋０．７ｅｖとなるような露光条件が設定される。ＶＤ＃９、ＶＤ＃１０で、ステップＳ３０で説明した露光変更準備が行われ、ＶＤ＃１１から露光が変更される。
【０１０８】
「画像処理」のラインは、取込まれたフレームが画像処理部１０７で表示用に画像処理されるタイミングを示す。「露光条件変化有」のラインは、画像処理部１０７やＡＥ制御部１０８に取込まれたフレームが、１つ前のフレームに対して露光条件に変化が有るかの判断である。ステップＳ５４の処理による判断である。前述のようにＶＤ＃１１から露光が変更されるので、ＶＤ＃１０とＶＤ＃１１では、露光条件が変化する。そこで、ＶＤ＃１０での露光フレームとＶＤ＃１１での露光フレームを比較するＶＤ＃１３では、露光条件に変化有りと判断される。
【０１０９】
「ＥＶＦ輝度」のラインは、各フレーム表示時におけるＥＶＦ１２３のバックライト輝度（光量）を示す。ＥＶＦ輝度の表記として、露光と同様な段数表記で示す。「表示データ」のラインは、画像処理されてＥＶＦ１２３に表示されるフレームの露出レベルを示しており、各数値は適正露光（±０）に対する露光ズレ量を表している。ＶＤ＃１で露光されたフレームが、ＶＤ＃４でＥＶＦ１２３に表示される。なお、「表示データ」も、露光ズレ量で表記されるので、図５で破線で示した露出レベルと実質同一である。
【０１１０】
「表示画像の輝度」のラインは、ＥＶＦ１２３に表示した際に人が感じる明るさを示す。表示画像の輝度は、ＥＶＦ輝度と表示データの露出レベルとの合計となるため、例えば、ＶＤ＃４の場合、表示画像の輝度は、５ｅｖ（ＥＶＦ輝度）＋０ｅｖ（表示データ）＝５ｅｖとなる。
【０１１１】
環境変化があった場合になされる露光条件（ＴＶ，ＡＶ、ＳＶ）の変更は、条件変更に時間がかかるので、露光演算されてから実際に露光条件が変更されるまで時間遅れが生じる。例えば、ＶＤ＃８でヒステリシス制御されても、露光条件はＶＤ＃１１で変更される。つまり、３ＶＤ遅れることになる。対して「ＥＶＦ輝度」は、露光条件のようなメカニカルな要素を含まないため、輝度設定後、次のＶＤで対応させることができる。
【０１１２】
ＶＤ＃６でＡＥ演算が行われ、ＶＤ＃８でヒステリシス制御が行われて、露光条件（ＴＶ１，ＡＶ１、ＳＶ１）から、露光条件（ＴＶｎｅｘｔ，ＡＶｎｅｘｔ、ＳＶｎｅｘｔ）として新たな露光条件（ＴＶ２，ＡＶ２、ＳＶ２）が算出される。ステップＳ４０〜ステップＳ４６の処理である。ＶＤ＃１０終了後に露光条件が変更され、ＶＤ＃１１から、新たな露光条件（ＴＶ２，ＡＶ２、ＳＶ２）に基づく露光が行われる。画像処理されたフレームとしては、ＶＤ＃１３の露光フレームから露光条件（ＴＶ２，ＡＶ２、ＳＶ２）が変更となる。
【０１１３】
これにより、ＶＤ＃１２のフレームとＶＤ＃１３のフレームの比較により、露光条件の変化有りと判断される。比較判定部１１５ｂにより実行されるステップＳ５０〜ステップＳ５４の処理である。露光条件の変化有りの判断により、安定化輝度ｓｔａｂＢｖを取得して、ＥＶＦ輝度が算出される。ステップＳ５６〜ステップＳ６０の処理である。
【０１１４】
新たな露光条件（ＴＶ２，ＡＶ２、ＳＶ２）のフレームがＶＤ＃１４から表示されるので、対応してＶＤ＃１４からＥＶＦ輝度が変更される。ステップＳ６２の処理である。ＶＤ＃１３〜ＶＤ＃１４で、表示データの露出レベルが−４ｅｖ→−３．３ｅｖに変化するのに応じて、ＥＶＦ輝度も５．０ｅｖ→４．３ｅｖに変化させる。これにより、ＶＤ＃１３〜ＶＤ＃１４で、表示画像の輝度は１ｅｖのままで、変動しない。
【０１１５】
また、ＶＤ＃１８でも、露光条件が変更される（ＴＶ３，ＡＶ３、ＳＶ３）ことで、ＶＤ＃１７とＶＤ＃１８で露光されたフレーム間で露光条件に差が出る。ＶＤ＃２０で、前フレームと露光条件が変化すると判断され、ＶＤ＃１８の露光フレームに対応する表示データが表示されるＶＤ＃２１のタイミングで、ＥＶＦ輝度が変更される。
【０１１６】
同様に、ＶＤ＃２５で、露光条件（ＴＶ４，ＡＶ４、ＳＶ４）に変更され、ＶＤ＃２５で露光されたフレームで輝度に変化が発生する。ＶＤ＃２７で、前フレームと露光条件が変化すると判断され、ＶＤ＃２５の露光フレームに対応する表示データが表示されるＶＤ＃２８のタイミングで、ＥＶＦ輝度が変更される。
【０１１７】
このように、第１の表示制御処理によれば、表示データの露光条件を監視して、露光条件の変化によって表示データの露出レベルが変化するタイミングに合わせてＥＶＦ輝度を変更するので、露光条件を段階的に変更していく途中で、表示画像の輝度の変動を防止することができる。
【０１１８】
図７Ａ〜Ｃは、第２の表示制御処理の手順を示すフローチャートである。第２の表示制御処理は、露光条件の変化ではなく画像の明るさの変化から、表示データの露出レベルの変化を判断する例である。
【０１１９】
図７Ａは、マイクロコンピュータ１１５により実行されるメインのフローチャートである。図７Ｂは主に画像処理部１０７により実行される輝度検出のサブルーチン、図７Ｃは主に比較判定部１１５ｂと表示輝度制御部１１５ｃにより実行されるＥＶＦ表示制御のサブルーチンである。
【０１２０】
マイクロコンピュータ１１５は、操作部１１６に含まれる電源ボタンの操作通知を受けて、電源ＯＮの処理を行う（ステップＳ１００）。マイクロコンピュータ１１５は、電源が投入されるとカメラの初期化処理を行う（ステップＳ１０２）。初期化処理の一つとして、露光制御部１１５ａは、露光条件をデフォルト値に設定し、表示輝度制御部１１５ｃは、ＥＶＦ輝度をデフォルト値に設定する。
【０１２１】
マイクロコンピュータ１１５は、設定した露光条件に基づき絞り等各部を設定して露光を行い、撮像部１６０から出力された画像データを取り込む（ステップＳ１０４）。マイクロコンピュータ１１５は、ＡＥ制御部１０８に、取り込まれた画像データを基に、ＡＥ制御として変更する露光量の演算を行わせる（ステップＳ１０６）。
【０１２２】
マイクロコンピュータ１１５は、画像処理部１０７に取込んだ画像データに対して画像処理を行わせる（ステップＳ１０８）。図７Ｂに進む。画像処理部１０７が現フレーム（画像データ）を取込む（ステップＳ１２０）。画像処理部１０７は、取込んだ現フレームに対し各種画像処理を行う（ステップＳ１２２）。画像処理としては、例えばホワイトバランス補正や色補正やγ補正が含まれる。画像処理部１０７は、フレームのＲＧＢデータから、輝度のデータであるＹデータを生成する（ステップＳ１２４）。画像処理部１０７は、生成した画面全体のＹデータからＹ平均値（Ｙａｖｅ）を算出する（ステップＳ１２６）。図７ＡのステップＳ１１０に進む。
【０１２３】
マイクロコンピュータ１１５は、表示制御を行う（ステップＳ１１０）。図７Ｃに進む。比較判定部１１５ｂは、画像処理部１０７から現フレームのＹ平均値（Ｙａｖｅ）を取得する（ステップＳ１３０）。比較判定部１１５ｂは、前フレームのＹ平均値（ｐｒｅＹａｖｅ）を読込む（ステップＳ１３２）。比較判定部１１５ｂは、現フレームのＹ平均値（Ｙａｖｅ）と前フレームのＹ平均値（ｐｒｅＹａｖｅ）の差分が、フレーム間誤差閾値（ΔＹａｖｅ）より大きいかを判定する（ステップＳ１３４）。フレーム間誤差閾値（ΔＹａｖｅ）は、フレーム間差分許容量であって、例えば、ΔＹａｖｅ＝０．６ｅｖである。
【０１２４】
比較判定部１１５ｂが、差分がフレーム間誤差閾値（ΔＹａｖｅ）より大きいと判定すると（ステップＳ１３４ＹＥＳ）、表示輝度制御部１１５ｃは安定化輝度ｓｔａｂＢｖを取得する（ステップＳ１３６）。安定化輝度ｓｔａｂＢｖは、第１の表示制御処理のステップＳ４４で説明したように、ＡＥ制御部１０８で算出される。安定化輝度ｓｔａｂＢｖについては、第１の表示制御処理で説明済なので、省略する。表示輝度制御部１１５ｃは、取得した安定化輝度ｓｔａｂＢｖに基づきＥＶＦ輝度を算出する（ステップＳ１３８）。
【０１２５】
一方、比較判定部１１５ｂは、差分がフレーム間誤差閾値（ΔＹａｖｅ）より大きくはないと判定すると（ステップＳ１３４ＮＯ）、前フレームとの輝度差は少ないとして、表示輝度制御部１１５ｃは新たなＥＶＦ輝度算出を行わずに、ステップＳ１４０に進む。
【０１２６】
比較判定部１１５ｂは、現フレームのＹ平均値（Ｙａｖｅ）を前フレームのＹ平均値（ｐｒｅＹａｖｅ）に代入して（ステップＳ１４０）、現フレームのＹ平均値を保持する。次のフレームと比較するためである。表示輝度制御部１１５ｃは、算出したＥＶＦ輝度でＥＶＦ１２３の設定を行う（ステップＳ１４２）。図７ＡのステップＳ１１２に進む。
【０１２７】
マイクロコンピュータ１１５は、ＥＶＦ１２３への表示を行わせる（ステップＳ１１２）。マイクロコンピュータ１１５は、電源オフ指示の有無を判断する（ステップＳ１１４）。マイクロコンピュータ１１５は、電源オフ指示があったと判断すると（ステップＳ１１４ＹＥＳ）、カメラのオフ処理を実行する。マイクロコンピュータ１１５は、電源オフ指示がないと判断すると（ステップＳ１１４ＮＯ）、露光制御部１１５ａは、露光変更の準備をして（ステップＳ１１６）、ステップＳ１０４に戻る。
【０１２８】
このように、第２の表示制御処理によれば、画像の明るさを監視して、露光条件の変化によって表示データの露出レベルが変化するタイミングに合わせてＥＶＦ輝度を変更するので、露光条件が変化した場合でも、表示画像の輝度の変動を防止することができる。また、画像の明るさ変化を元に判断するので、同じ露出レベルでのＴＶ，ＡＶ，ＳＶの設定値変更にも影響されずに処理することができる。なお、第２の表示制御処理のタイミングチャートは、図６の「露光条件変化有」の判断を、「Ｙ平均値変化有」に代えただけであるので、図示は省略する。
【０１２９】
図８Ａ〜Ｃは、第３の表示制御処理の手順を示すフローチャートである。第３の表示制御処理は、表示レートと撮像レートの違いによりＥＶＦ設定を切換える例である。表示レートと撮像レートが違う場合とは、図１９のタイミングチャートで示したような場合である。表示レートが撮像レートより高い場合、表示データの更新のほうが頻繁に行われる。そこで、表示レートが撮像レートより高い場合には、現在表示しようとしている画像と、直前に表示した画像との差分を算出し、差分がなければ、ＥＶＦ輝度変更は行わず、差分があれば、ＥＶＦ輝度変更を行うようにする例である。
【０１３０】
図８Ａは、マイクロコンピュータ１１５により実行されるメインのフローチャートである。図８Ｂは主にＡＥ制御部１０８により実行されるＡＥ制御のサブルーチン、図８Ｃは主に比較判定部１１５ｂと表示輝度制御部１１５ｃにより実行される表示制御のサブルーチンである。図８Ａ〜Ｃの各処理は、第１及び第２の表示制御処理と同一の内容を含むので、相違点を中心に説明する。
【０１３１】
マイクロコンピュータ１１５は、操作通知を受けて電源ＯＮ処理、カメラの初期化処理を行う（ステップＳ２００、ステップＳ２０２）。マイクロコンピュータ１１５は、露光設定を行う（ステップＳ２０４）。
【０１３２】
撮像部１６０は露光を行い、画像データの取り込みを行う（ステップＳ２０６）。ＡＥ制御部１０８は、取り込まれた画像データを基に、ＡＥ制御を行う（ステップＳ２０８）。
【０１３３】
図８Ｂに進む。ＡＥ制御部１０８は、測光方式の読み込み（ステップＳ２２０）、取り込まれた画像データから環境の明るさｅｎｖＢｖを算出する（ステップＳ２２２）。安定化輝度算出部１０８ａは、安定化輝度を算出する（ステップＳ２２４）。露光条件演算部１０８ｂは、算出された安定化輝度ｓｔａｂＢｖから、次の露光条件（ＡＶｎｅｘｔ、ＴＶｎｅｘｔ，ＳＶｎｅｘｔ）を算出して（ステップＳ２２６）、図８ＡのステップＳ２１０に進む。
【０１３４】
マイクロコンピュータ１１５は、画像処理部１０７に画像データの画像処理を行わせる（ステップＳ２１０）。画像処理部１０７は、ステップＳ１２４、ステップＳ１２６と同様にＹ平均値を算出する。マイクロコンピュータ１１５は、表示制御を行う（ステップＳ２１２）。図８Ｃに進む。
【０１３５】
比較判定部１１５ｂは、表示レート＞撮像レートであるかを判定する（ステップＳ２３０）。表示レート＞撮像レートとは、例えば表示レートが６０回／秒で撮像レートが３０回／秒のような場合で、図１９で示したような例である。
【０１３６】
比較判定部１１５ｂは、表示レート＞撮像レートであると判定すると（ステップＳ２３０ＹＥＳ）、前表示画像との露出レベルの差分を算出する（ステップＳ２３２）。比較判定部１１５ｂは、露出レベルの差分が有るかを判定する（ステップＳ２３４）。比較判定部１１５ｂが露出レベルの差分が有ると判定すると（ステップＳ２３４ＹＥＳ）、表示輝度制御部１１５ｃはヒステリシス制御された安定化輝度ｓｔａｂＢｖをＡＥ制御部１０８から取得する（ステップＳ２３６）。表示輝度制御部１１５ｃは、安定化輝度ｓｔａｂＢｖに基づき、ＥＶＦ輝度を算出する（ステップＳ２３８）。安定化輝度ｓｔａｂＢｖやＥＶＦ輝度の算出については、第１の表示制御処理と同様である。
【０１３７】
一方、比較判定部１１５ｂが、表示レート＞撮像レートでないと判定すると（ステップＳ２３０ＮＯ）、ステップＳ２３６に進む。また、比較判定部１１５ｂは、露出レベルに差分がないと判定すると（ステップＳ２３４ＮＯ）、ステップＳ２４０にジャンプする。
【０１３８】
表示輝度制御部１１５ｃは、算出したＥＶＦ輝度でＥＶＦ１２３を設定する（ステップＳ２４０）。図８Ａに戻り、ステップＳ２１４に進む。マイクロコンピュータ１１５は、表示輝度制御部１１５ｃの表示制御に基づき、ＥＶＦ制御部１２２にＥＶＦ１２３への表示を行わせる（ステップＳ２１４）。
【０１３９】
マイクロコンピュータ１１５は、電源オフ指示の有無を判断する（ステップＳ２１６）。マイクロコンピュータ１１５は、電源オフ指示があったと判断すると（ステップＳ２１６ＹＥＳ）、カメラのオフ処理を実行する。マイクロコンピュータ１１５は、電源オフ指示がないと判断すると（ステップＳ２１６ＮＯ）、露光制御部１１５ａは、露光変更の準備をして（ステップＳ２１８）、ステップＳ２０４に戻る。
【０１４０】
このように、第３の表示制御処理によれば、表示レートが撮像レートより高い場合、現在表示しようとしている画像と、直前に表示した画像との露出レベルに差分があるかどうかの判断し、それに基づいてＥＶＦ輝度の変更を行うことで、表示画像の輝度の変動を防止することができる。なお、露出レベルの差分は、第１の表示制御処理あるいは第２の表示制御処理と同様に算出すればよい。
【０１４１】
図９は、第４の表示制御処理の手順を説明するフローチャートである。比較判定部１１５ｂと表示輝度制御部１１５ｃにより実行される表示制御のサブルーチンである。第４の表示制御処理は、画像データが複数のＶＤ長期間で露光が行われたもの（多ＶＤ露光データとも呼ぶ）である場合に、ＥＶＦ輝度処理を変える例である。多ＶＤ露光データは、図２１で示した例である。第４の表示制御処理は、第３の表示制御処理におけるステップＳ２３０のみ異なる処理なので、表示制御のサブルーチンのみ説明する。
【０１４２】
比較判定部１１５ｂは、「表示レート＞撮像レート」に代えて、画像データが多ＶＤ露光データであるかを判定する（ステップＳ３００）。比較判定部１１５ｂは、画像データが多ＶＤ露光データであると判定すると（ステップＳ３００ＹＥＳ）、前表示画像との露出レベルの差分を算出する（ステップＳ３０２）。比較判定部１１５ｂは、画像データが多ＶＤ露光データではないと判断すると（ステップＳ３００ＮＯ）、ステップＳ３０６に進む。
ステップＳ３０２以降の処理は、ステップＳ２３２以降と同じであるので省略する。
【０１４３】
このように、第４の表示制御処理によれば、露光データが多ＶＤ露光データの場合には、現在表示しようとしている画像と、直前に表示した画像との露出レベルに差分があるかどうかを判断し、それに基づいてＥＶＦ輝度の変更を行うことで、多ＶＤ露光データの場合でも、適切に表示画像の輝度の変動を防止することができる。なお、露出レベルの差分は、第１の表示制御処理あるいは第２の表示制御処理と同様に算出すればよい。
【０１４４】
なお、以上説明した各例では、露光制御部１１５ａや比較判定部１１５ｂを、プログラムを読込んだコンピュータにより実現されるソフトウェア処理として説明したが、これに限るものではなく、一部または全部をハードウェアで実現するようにしてもよい。
【０１４５】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１４６】
１        カメラ
５        カメラ本体
１０      交換式レンズ
１０２    撮像素子
１０３    撮像ドライバ
１０４    アナログ処理部
１０４ａ  ＡＧＣ
１０５    Ａ／Ｄ変換部
１０５ａ  ゲイン制御部
１０７    画像処理部
１０８    ＡＥ制御部
１０８ａ  安定化輝度算出部
１０８ｂ  露光条件演算部
１１５    マイクロコンピュータ
１１５ａ  露光制御部
１１５ｂ  比較判定部
１１５ｃ  表示輝度制御部
１１７    フラッシュメモリ
１２２    ＥＶＦ制御部
１２３    ＥＶＦ
１６０    撮像部  
【図２】
2015216473.tif 000003
【図３Ａ】
2015216473.tif 000004
【図３Ｂ】
2015216473.tif 000005
【図３Ｃ】
2015216473.tif 000006
【図７Ａ】
2015216473.tif 000007
【図７Ｂ】
2015216473.tif 000008
【図７Ｃ】
2015216473.tif 000009
【図８Ａ】
2015216473.tif 000010
【図８Ｂ】
2015216473.tif 000011
【図８Ｃ】
2015216473.tif 000012
【図９】
2015216473.tif 000013
【図１】
2015216473.tif 000014
【図４】
2015216473.tif 000015
【図５】
2015216473.tif 000016
【図６Ａ】
2015216473.tif 000017
【図６Ｂ】
2015216473.tif 000018
【図６Ｃ】
2015216473.tif 000019
【図１０】
2015216473.tif 000020
【図１１】
2015216473.tif 000021
【図１２】
2015216473.tif 000022
【図１３】
2015216473.tif 000023
【図１４】
2015216473.tif 000024
【図１５Ａ】
2015216473.tif 000025
【図１５Ｂ】
2015216473.tif 000026
【図１６】
2015216473.tif 000027
【図１７】
2015216473.tif 000028
【図１８Ａ】
2015216473.tif 000029
【図１８Ｂ】
2015216473.tif 000030
【図１９】
2015216473.tif 000031
【図２０Ａ】
2015216473.tif 000032
【図２０Ｂ】
2015216473.tif 000033